(57)【特許請求の範囲】
【請求項１】
無線基地局であって、
前記無線基地局配下の第１セルが主キャリアのサービングセルとして設定されている移動局が移動しているか否かについて判定するように構成されている判定部と、
前記移動局が移動していないと判定された場合、該移動局に対して、主キャリアのサービングセルを前記第１セルから前記無線基地局配下の第２セルに切り替えるように指示するように構成されている指示部とを具備することを特徴とする無線基地局。
【請求項２】
所定時間以上、前記移動局に対して前記第２セルが副キャリアのサービングセルとして設定されている場合、前記判定部は、該移動局が移動していないと判定するように構成されていることを特徴とする請求項１に記載の無線基地局。
【請求項３】
前記移動局が、所定時間以上、前記第１セルに接続されている場合、前記判定部は、該移動局が移動していないと判定するように構成されていることを特徴とする請求項１に記載の無線基地局。
【請求項４】
所定時間以上、前記移動局における前記第２セルの無線品質が所定値以上である場合、前記判定部は、該移動局が移動していないと判定するように構成されていることを特徴とする請求項１に記載の無線基地局。
【請求項５】
前記判定部は、前記移動局から取得した該移動局の位置情報に基づいて、該移動局が移動しているか否かについて判定するように構成されていることを特徴とする請求項１に記載の無線基地局。
【請求項６】
前記指示部は、前記移動局が移動していないと判定された場合で、かつ、ネットワーク負荷が所定値以上である場合に、前記主キャリアのサービングセルを前記第１セルから前記第２セルに切り替えるように指示するように構成されていることを特徴とする請求項１に記載の無線基地局。
【発明の詳細な説明】
【技術分野】
【０００１】
本発明は、無線基地局に関する。
【背景技術】
【０００２】
３ＧＰＰで仕様化が進められているＬＴＥ（Ｌｏｎｇ  Ｔｅｒｍ  Ｅｖｏｌｕｔｉｏｎ）-Ａｄｖａｎｃｅｄ方式の移動通信システムでは、「ＣＡ（Ｃａｒｒｉｅｒ  Ａｇｇｒｅｇａｔｉｏｎ）」を行うことが検討されている。
【０００３】
ＬＴＥ-Ａｄｖａｎｃｅｄ方式の移動通信システムでは、移動局ＵＥは、１つの無線基地局ｅＮＢとの間で、異なる周波数帯域の複数の「Ｃｏｍｐｏｎｅｎｔ  Ｃａｒｒｉｅｒ（ＣＣ）」を同時に用いて、ＣＡを行うことができるように構成されている。
【０００４】
また、ＣＡが行われる場合、移動局ＵＥは、無線基地局からの指示に応じて、複数のＣＣの中から、１つをＰＣＣ（Ｐｒｉｍａｒｙ  Ｃｏｍｐｏｎｅｎｔ  Ｃａｒｒｅｒ）として設定し、その他をＳＣＣ（Ｓｅｃｏｎｄａｒｙ  Ｃｏｍｐｏｎｅｎｔ  Ｃａｒｒｅｒ）として設定するように構成されている。
【０００５】
また、ＬＴＥ-Ａｄｖａｎｃｅｄ方式の移動通信システムでは、マクロセルのカバレッジエリア内における高トラフィックエリアに、１つ又は複数のピコセルを配置することが検討されている。
【先行技術文献】
【非特許文献】
【０００６】
【非特許文献１】３ＧＰＰ  ＴＳ３６.８１４
【非特許文献２】３ＧＰＰ  ＴＳ３６.９１２
【非特許文献３】３ＧＰＰ  ＴＳ３６.３００
【発明の概要】
【発明が解決しようとする課題】
【０００７】
しかしながら、現在のＬＴＥ-Ａｄｖａｎｃｅｄ方式では、移動局ＵＥのＰｃｅｌｌ（ＰＣＣのサービングセル）としてピコセルの設定を許容すると、図８に示すように、各ピコセル（セル＃１１/＃１２/＃１３）のカバレッジエリアが狭いため、ハンドオーバ処理が多発して制御信号の処理にかかる負荷や無線リソース圧迫によるネットワーク負荷が増大し、ハンドオーバ処理の失敗も増加するという問題点があった。
【０００８】
また、現在のＬＴＥ-Ａｄｖａｎｃｅｄ方式において、全ての移動局ＵＥのＰｃｅｌｌとしてマクロセルを設定すると、図９に示すように、ＰＣＣ及びＰｃｅｌｌにおいて輻輳が発生し干渉が増大するという問題点があった。
【０００９】
そこで、本発明は、上述の課題に鑑みてなされたものであり、モビリティ及び負荷分散の観点から、最適なＣＡを実現することができる無線基地局を提供することを目的とする。
【課題を解決するための手段】
【００１０】
本発明の第１の特徴は、無線基地局であって、前記無線基地局配下の第１セルが主キャリアのサービングセルとして設定されている移動局が移動しているか否かについて判定するように構成されている判定部と、前記移動局が移動していないと判定された場合、該移動局に対して、前記主キャリアのサービングセルを前記第１セルから前記無線基地局配下の第２セルに切り替えるように指示するように構成されている指示部とを具備することを要旨とする。
【発明の効果】
【００１１】
以上説明したように、本発明によれば、モビリティ及び負荷分散の観点から、最適なＣＡを実現することができる無線基地局を提供することができる。
【図面の簡単な説明】
【００１２】
【図１】本発明の第１の実施形態に係る移動通信システムの全体構成図である。
【図２】本発明の第１の実施形態に係る無線基地局の機能ブロック図である。
【図３】本発明の第１の実施形態に係る移動局の機能ブロック図である。
【図４】本発明の第１の実施形態に係る無線基地局の動作を示すフローチャートである。
【図５】本発明の第１の実施形態に係る無線基地局の動作を示すフローチャートである。
【図６】本発明の第１の実施形態に係る無線基地局の動作を示すフローチャートである。
【図７】本発明の第１の実施形態に係る無線基地局の動作を示すフローチャートである。
【図８】従来の移動通信システムの問題点を説明するための図である。
【図９】従来の移動通信システムの問題点を説明するための図である。
【発明を実施するための形態】
【００１３】
（本発明の第１の実施形態に係る移動通信システム）
図１を参照して、本発明の第１の実施形態に係る移動通信システムについて説明する。本実施形態に係る移動通信システムは、ＬＴＥ-Ａｄｖａｎｃｅｄ方式の移動通信システムである。
【００１４】
図１に示すように、本実施形態に係る移動通信システムでは、無線基地局ｅＮＢ配下に、マクロセルとして、セル＃１が設けられており、ピコセルとして、セル＃１１/＃１２/＃１３が設けられている。
【００１５】
ここで、セル＃１（マクロセル）では、周波数帯域Ｆ１のＣＣが用いられており、セル＃１１/＃１２/＃１３（ピコセル）では、周波数帯域Ｆ２のＣＣが用いられている。
【００１６】
図１に示すように、例えば、周波数帯域Ｆ１として、エリアカバレッジ範囲を重視したコア（カバレッジ）バンドが用いられ、周波数帯域Ｆ２として、高速な通信を重視した容量バンドが用いられることが想定されている。
【００１７】
例えば、周波数帯域Ｆ１として、８００ＭＨｚ帯や２ＧＨｚ帯等が用いられ、周波数帯域Ｆ２として、３.５ＧＨｚ帯等が用いられてもよい。
【００１８】
また、例えば、各ＣＣの帯域幅は、６ＲＢ（Ｒｅｓｏｕｒｃｅ  Ｂｌｏｃｋ）、１５ＲＢ、２５ＲＢ、５０ＲＢ、７５ＲＢ又は１００ＲＢのいずれかであってもよい。なお、１ＲＢは、１８０ｋＨｚである。
【００１９】
また、本実施形態に係る移動通信システムでは、セル＃１のカバレッジエリア内に、セル＃１１/＃１２/＃１３が配置されるように構成されている。
【００２０】
なお、本実施形態に係る移動通信システムにおいて、移動局ＵＥは、無線基地局ｅＮＢとの間で、周波数帯域Ｆ１のＣＣ及び周波数帯域Ｆ２のＣＣを同時に用いて、信号の送受信を行うことができるように構成されている、すなわち、マクロセル及びピコセルにおいて、ＣＡを行うことができるように構成されている。
【００２１】
例えば、無線基地局ｅＮＢは、移動局ＵＥのＰｃｅｌｌとしてマクロセルを設定（Ｃｏｎｆｉｇｕｒｅ）し、移動局ＵＥのＳｃｅｌｌ（ＳＣＣのサービングセル）としてピコセルを設定（Ｃｏｎｆｉｇｕｒｅ）するように構成されている。
【００２２】
図２に示すように、無線基地局ｅＮＢは、受信部１１と、判定部１２と、送信部１３とを具備している。
【００２３】
受信部１１は、移動局ＵＥによって送信された各種信号を受信するように構成されている。
【００２４】
例えば、受信部１１は、移動局ＵＥから、無線基地局ｅＮＢによって指定されたセルの無線品質を含む測定報告（Ｍｅａｓｕｒｅｍｅｎｔ  Ｒｅｐｏｒｔ）や、移動局ＵＥの位置情報等を受信するように構成されている。
【００２５】
送信部１３は、移動局ＵＥに対して、各種信号を送信するように構成されている。
【００２６】
例えば、送信部１３は、移動局ＵＥに対して、上述の測定報告を送信するように指示したり、移動局ＵＥの位置情報を送信するように指示したり、移動局ＵＥのＰｃｅｌｌやＳｃｅｌｌの設定について指示したりするように構成されている。
【００２７】
判定部１２は、無線基地局ｅＮＢ配下のセル＃１がＰｃｅｌｌとして設定されている移動局ＵＥが移動しているか否かについて判定するように構成されている。
【００２８】
或いは、判定部１２は、無線基地局ｅＮＢ配下のセル＃１１/＃１２/＃１３がＳｃｅｌｌとして設定されている移動局ＵＥが移動しているか否かについて判定するように構成されている。
【００２９】
例えば、所定時間以上、移動局ＵＥに対して無線基地局ｅＮＢ配下のセル＃１１/＃１２/＃１３がＳｃｅｌｌとして設定されている場合、判定部１２は、移動局ＵＥが移動していないと判定するように構成されていてもよい。
【００３０】
かかる構成によれば、判定部１２は、ＣＡに対応可能な移動局ＵＥ（例えば、ＬＴＥ（Ｒｅｌｅａｓｅ-１０）方式以降のＬＴＥ方式に対応する移動局ＵＥ）についての移動の有無のみについて判定することができる、すなわち、ＣＡに対応していない移動局ＵＥ（例えば、ＬＴＥ（Ｒｅｌｅａｓｅ-９）方式以前のＬＴＥ方式に対応する移動局ＵＥ）についての移動の有無について判定することができない。
【００３１】
また、移動局ＵＥが、所定時間以上、無線基地局ｅＮＢ配下のセル＃１に接続されている場合、判定部１２は、移動局ＵＥが移動していないと判定するように構成されていてもよい。
【００３２】
かかる構成によれば、判定部１２は、ＣＡに対応していない移動局ＵＥ（例えば、ＬＴＥ（Ｒｅｌｅａｓｅ-９）方式以前のＬＴＥ方式に対応する移動局ＵＥ）についての移動の有無についても判定することができる。
【００３３】
また、所定時間以上、移動局ＵＥにおける無線基地局ｅＮＢ配下のセル＃１１/＃１２/＃１３の無線品質が所定値以上である場合、判定部１２は、移動局ＵＥが移動していないと判定するように構成されていてもよい。
【００３４】
ここで、判定部１２は、受信部１１によって受信された測定報告に基づいて、所定時間以上、移動局ＵＥにおける無線基地局ｅＮＢ配下のセル＃１１/＃１２/＃１３の無線品質が所定値以上であるか否かについて判定するように構成されていてもよい。
【００３５】
かかる場合、送信部１３は、セル＃１に接続されている移動局ＵＥに対して、すなわち、セル＃１がＰｃｅｌｌとして設定されている移動局ＵＥに対して、セル＃１１/＃１２/＃１３の無線品質について測定及び報告を行うように指示するように構成されている。
【００３６】
かかる構成によれば、判定部１２は、ＣＡに対応していない移動局ＵＥ（例えば、ＬＴＥ（Ｒｅｌｅａｓｅ-９）方式以前のＬＴＥ方式に対応する移動局ＵＥ）についての移動の有無についても判定することができる。
【００３７】
さらに、判定部１２は、移動局ＵＥから取得した移動局ＵＥの位置情報に基づいて、移動局ＵＥが移動しているか否かについて判定するように構成されていてもよい。
【００３８】
かかる構成によれば、判定部１２は、測位機能を具備する移動局ＵＥであれば、ＣＡに対応していない移動局ＵＥ（例えば、ＬＴＥ（Ｒｅｌｅａｓｅ-９）方式以前のＬＴＥ方式に対応する移動局ＵＥ）についての移動の有無についても判定することができる。
【００３９】
また、判定部１２は、移動局ＵＥが移動していないと判定された場合に、無線基地局ｅＮＢ配下のセル＃１１/＃１２/＃１３をＳｃｅｌｌからＰｃｅｌｌに切り替えるように指示するべきか否かについて規定する切替条件が満たされているか否かについて判定するように構成されていてもよい。
【００４０】
例えば、判定部１２は、ネットワーク負荷が所定値以上である場合に、かかる切替条件が満たされていると判定するように構成されていてもよい。
【００４１】
送信部１３は、判定部１２によって移動局ＵＥが移動していないと判定された場合、移動局ＵＥに対して、Ｐｃｅｌｌをセル＃１からセル＃１１/＃１２/＃１３に切り替えるように指示するように構成されている。
【００４２】
或いは、送信部１３は、判定部１２によって移動局ＵＥが移動していないと判定された場合、移動局ＵＥに対して、セル＃１１/＃１２/＃１３をＳｃｅｌｌからＰｃｅｌｌに切り替えるように指示するように構成されていてもよい。
【００４３】
また、送信部１３は、移動局ＵＥが移動していないと判定された場合で、かつ、切替条件が満たされている場合（例えば、ネットワーク負荷が所定値以上である場合）に、Ｐｃｅｌｌをセル＃１からセル＃１１/＃１２/＃１３に切り替えるように指示するように構成されていてもよい。
【００４４】
或いは、送信部１３は、移動局ＵＥが移動していないと判定された場合で、かつ、切替条件が満たされている場合（例えば、ネットワーク負荷が所定値以上である場合）に、移動局ＵＥに対して、セル＃１１/＃１２/＃１３をＳｃｅｌｌからＰｃｅｌｌに切り替えるように指示するように構成されていてもよい。
【００４５】
図３に示すように、移動局ＵＥは、受信部２１と、制御部２２と、測定部２３と、送信部２４とを具備している。
【００４６】
受信部２１は、無線基地局ｅＮＢによって送信された各種信号を受信するように構成されている。
【００４７】
例えば、受信部２１は、無線基地局ｅＮＢから、測定報告を送信するように指示する測定設定情報や、移動局ＵＥの位置情報を送信するように指示する位置情報指示情報や、移動局ＵＥのＰｃｅｌｌやＳｃｅｌｌの設定について指示するＣＡ設定情報を受信するように構成されている。
【００４８】
制御部２２は、受信部によって受信されたＣＡ設定情報に基づいて、移動局ＵＥのＰｃｅｌｌやＳｃｅｌｌを設定するように構成されている。
【００４９】
測定部２３は、受信部によって受信された測定設定情報に基づいて、指定されたキャリアにおける各セルの無線品質を測定し、かかる無線品質を含む測定報告を生成するように構成されている。
【００５０】
送信部２４は、無線基地局ｅＮＢに対して、各種信号を送信するように構成されている。
【００５１】
例えば、送信部２４は、無線基地局ｅＮＢに対して、測定部２３によって生成された測定報告を送信するように構成されている。
【００５２】
また、送信部２４は、受信部２１によって受信された位置情報指示情報に基づいて、無線基地局ｅＮＢに対して、移動局ＵＥの位置情報を送信するように構成されている。
【００５３】
以下、図４乃至図７を参照して、本実施形態に係る移動通信システム、具体的には、本実施形態に係る無線基地局ｅＮＢの動作について説明する。
【００５４】
第１に、図４を参照して、本実施形態に係る無線基地局ｅＮＢの動作例１について説明する。
【００５５】
図４に示すように、無線基地局ｅＮＢは、ステップＳ１０１において、移動局ＵＥのＳｃｅｌｌとしてピコセル（例えば、セル＃１１/＃１２/＃１３）を設定し、ステップＳ１０２において、タイマを起動する。
【００５６】
ステップＳ１０３において、無線基地局ｅＮＢは、タイマが満了しているか否かについて判定する。
【００５７】
「ＹＥＳ」の場合、本動作は、ステップＳ１０５に進み、「ＮＯ」の場合、本動作は、ステップＳ１０４に進む。
【００５８】
ステップＳ１０４において、無線基地局ｅＮＢは、Ｓｃｅｌｌとして設定されたピコセル（例えば、セル＃１１/＃１２/＃１３）が削除されているか否かについて判定する。
【００５９】
「ＹＥＳ」の場合、本動作は、終了し、「ＮＯ」の場合、本動作は、ステップＳ１０２に戻る。
【００６０】
ステップＳ１０５において、無線基地局ｅＮＢは、かかる移動局ＵＥが移動していないと判定する。
【００６１】
ステップＳ１０６において、無線基地局ｅＮＢは、上述の切替条件（所定条件）が満たされているか否かについて判定する。
【００６２】
「ＹＥＳ」の場合、本動作は、ステップＳ１０７に進み、「ＮＯ」の場合、本動作は、終了する。
【００６３】
ステップＳ１０７において、無線基地局ｅＮＢは、移動局ＵＥに対して、Ｓｃｅｌｌとして設定されたピコセル（例えば、セル＃１１/＃１２/＃１３）をＳｃｅｌｌからＰｃｅｌｌに切り替えるように指示する。
【００６４】
第２に、図５を参照して、本実施形態に係る無線基地局ｅＮＢの動作例２について説明する。
【００６５】
図５に示すように、無線基地局ｅＮＢは、ステップＳ２０１において、移動局ＵＥのＳｃｅｌｌとしてピコセル（例えば、セル＃１１/＃１２/＃１３）を設定し、ステップＳ２０２において、タイマを起動する。
【００６６】
ステップＳ２０３において、無線基地局ｅＮＢは、タイマが満了しているか否かについて判定する。
【００６７】
「ＹＥＳ」の場合、本動作は、ステップＳ２０５に進み、「ＮＯ」の場合、本動作は、ステップＳ２０４に進む。
【００６８】
ステップＳ２０４において、無線基地局ｅＮＢは、移動局ＵＥが、ハンドオーバ処理等の理由で、Ｓｃｅｌｌとして設定されたピコセル（例えば、セル＃１１/＃１２/＃１３）における接続が切断されているか否かについて判定する。
【００６９】
「ＹＥＳ」の場合、本動作は、終了し、「ＮＯ」の場合、本動作は、ステップＳ２０２に戻る。
【００７０】
ステップＳ２０５において、無線基地局ｅＮＢは、かかる移動局ＵＥが移動していないと判定する。
【００７１】
ステップＳ２０６において、無線基地局ｅＮＢは、上述の切替条件（所定条件）が満たされているか否かについて判定する。
【００７２】
「ＹＥＳ」の場合、本動作は、ステップＳ２０７に進み、「ＮＯ」の場合、本動作は、終了する。
【００７３】
ステップＳ２０７において、無線基地局ｅＮＢは、移動局ＵＥに対して、Ｓｃｅｌｌとして設定されたピコセル（例えば、セル＃１１/＃１２/＃１３）をＳｃｅｌｌからＰｃｅｌｌに切り替えるように指示する。
【００７４】
第３に、図６を参照して、本実施形態に係る無線基地局ｅＮＢの動作例３について説明する。
【００７５】
図６に示すように、ステップＳ３０１において、無線基地局ｅＮＢは、マクロセル（例えば、セル＃１）に接続されている移動局ＵＥに対して、ピコセル（例えば、セル＃１１/＃１２/＃１３）における無線品質の測定及び報告を行うように指示する。
【００７６】
ステップＳ３０２において、無線基地局ｅＮＢは、所定時間以上、移動局ＵＥにおけるピコセル（例えば、セル＃１１/＃１２/＃１３）の無線品質が所定値以上であるか否かについて判定する。
【００７７】
ここで、無線基地局ｅＮＢは、タイマを用いて、かかる所定時間を計測するように構成されていてもよい。
【００７８】
「ＹＥＳ」の場合、本動作は、ステップＳ３０３に進み、「ＮＯ」の場合、本動作は、ステップＳ３０２の動作を繰り返す。
【００７９】
ステップＳ３０３において、無線基地局ｅＮＢは、かかる移動局ＵＥが移動していないと判定する。
【００８０】
ステップＳ３０４において、無線基地局ｅＮＢは、上述の切替条件（所定条件）が満たされているか否かについて判定する。
【００８１】
「ＹＥＳ」の場合、本動作は、ステップＳ３０５に進み、「ＮＯ」の場合、本動作は、終了する。
【００８２】
ステップＳ３０５において、無線基地局ｅＮＢは、移動局ＵＥに対して、Ｓｃｅｌｌとして設定されたピコセル（例えば、セル＃１１/＃１２/＃１３）をＳｃｅｌｌからＰｃｅｌｌに切り替えるように指示する。
【００８３】
第４に、図７を参照して、本実施形態に係る無線基地局ｅＮＢの動作例４について説明する。
【００８４】
図７に示すように、ステップＳ４０１において、無線基地局ｅＮＢは、マクロセル或いはピコセル（例えば、セル＃１/＃１１/＃１２/＃１３）に接続されている移動局ＵＥに対して、移動局ＵＥの位置情報を送信するように指示する。
【００８５】
ステップＳ４０２において、無線基地局ｅＮＢは、受信した移動局ＵＥの位置情報に基づいて、所定時間以上、移動局ＵＥの位置に変更がないか否かについて判定する。
【００８６】
ここで、無線基地局ｅＮＢは、タイマを用いて、かかる所定時間を計測するように構成されていてもよい。
【００８７】
「ＹＥＳ」の場合、本動作は、ステップＳ４０３に進み、「ＮＯ」の場合、本動作は、ステップＳ４０２の動作を繰り返す。
【００８８】
ステップＳ４０３において、無線基地局ｅＮＢは、かかる移動局ＵＥが移動していないと判定する。
【００８９】
ステップＳ４０４において、無線基地局ｅＮＢは、上述の切替条件（所定条件）が満たされているか否かについて判定する。
【００９０】
「ＹＥＳ」の場合、本動作は、ステップＳ４０５に進み、「ＮＯ」の場合、本動作は、終了する。
【００９１】
ステップＳ４０５において、無線基地局ｅＮＢは、移動局ＵＥに対して、Ｓｃｅｌｌとして設定されたピコセル（例えば、セル＃１１/＃１２/＃１３）をＳｃｅｌｌからＰｃｅｌｌに切り替えるように指示する。
【００９２】
本発明の第１の実施形態に係る移動通信システムによれば、マクロセル（例えば、セル＃１）がＰｃｅｌｌとして設定されている移動局ＵＥが、移動していないと判定された場合には、ピコセル（例えば、セル＃１１/＃１２/＃１３）をＰｃｅｌｌとして設定するように誘導することで、セル＃１のカバレッジエリア内の移動局ＵＥのトラフィックについての負荷分散を実現することができ、マクロセル（例えば、セル＃１）における輻輳や干渉の発生を抑制することができる。
【００９３】
一方、本発明の第１の実施形態に係る移動通信システムによれば、マクロセル（例えば、セル＃１）がＰｃｅｌｌとして設定されている移動局ＵＥが、移動していると判定された場合には、そのままマクロセル（例えば、セル＃１）をＰｃｅｌｌとして設定し続けるため、ハンドオーバ処理の多発を抑制し、制御信号の処理にかかる負荷や無線リソース圧迫によるハンドオーバ処理の失敗を低減させることができる。
【００９４】
また、本発明の第１の実施形態に係る移動通信システムによれば、上述のタイマの値を調整することで、電車の乗客等、一時的に停止しているユーザの移動局ＵＥについては、ピコセル（例えば、セル＃１１/＃１２/＃１３）をＰｃｅｌｌとして設定するように誘導する対象から除外することができる。
【００９５】
なお、上述したように、本実施形態に係る無線基地局ｅＮＢの動作例２〜４においては、判定部１２は、ＣＡに対応していない、つまり、同時に唯一つのキャリアでしか接続できない移動局ＵＥ（例えば、ＬＴＥ（Ｒｅｌｅａｓｅ-９）方式以前のＬＴＥ方式に対応する移動局ＵＥ）についての移動の有無についても判定することができる。
【００９６】
したがって、判定部１２が、ＣＡに対応していない移動局ＵＥについても、ＣＡに対応した移動局ＵＥと同様の制御を適用することで、移動していないと判定した場合、ピコセル（例えば、セル＃１１/＃１２/＃１３）を接続キャリアに設定する、つまり、ハンドオーバさせることで、負荷分散を測ることが可能となる。
【００９７】
以上に述べた本実施形態の特徴は、以下のように表現されていてもよい。
【００９８】
本実施形態の第１の特徴は、無線基地局ｅＮＢであって、セル＃１（第１セル）がＰｃｅｌｌ（主キャリアのサービングセル）として設定されている移動局ＵＥが移動しているか否かについて判定するように構成されている判定部１２と、移動局ＵＥが移動していないと判定された場合、移動局ＵＥに対して、Ｐｃｅｌｌをセル＃１からセル＃１１/＃１２/＃１３（第２セル）に切り替えるように指示するように構成されている送信部（指示部）１３とを具備することを要旨とする。
【００９９】
本実施形態の第１の特徴において、所定時間以上、移動局ＵＥに対してセル＃１１/＃１２/＃１３がＳｃｅｌｌ（副キャリアのサービングセル）として設定されている場合、判定部１２は、移動局ＵＥが移動していないと判定するように構成されていてもよい。
【０１００】
本実施形態の第１の特徴において、移動局ＵＥが、所定時間以上、無線基地局ｅＮＢ配下のセル＃１に接続されている場合、判定部１２は、移動局ＵＥが移動していないと判定するように構成されていてもよい。
【０１０１】
本実施形態の第１の特徴において、所定時間以上、移動局ＵＥにおける無線基地局ｅＮＢ配下のセル＃１１/＃１２/＃１３の無線品質が所定値以上である場合、判定部１２は、移動局ＵＥが移動していないと判定するように構成されていてもよい。
【０１０２】
本実施形態の第１の特徴において、判定部１２は、移動局ＵＥから取得した移動局ＵＥの位置情報に基づいて、移動局ＵＥが移動しているか否かについて判定するように構成されていてもよい。
【０１０３】
本実施形態の第１の特徴において、送信部１３は、移動局ＵＥが移動していないと判定された場合で、かつ、ネットワーク負荷が所定値以上である場合に、Ｐｃｅｌｌをセル＃１からセル＃１１/＃１２/＃１３に切り替えるように指示するように構成されていてもよい。
【０１０４】
なお、上述の移動局ＵＥや無線基地局ｅＮＢの動作は、ハードウェアによって実施されてもよいし、プロセッサによって実行されるソフトウェアモジュールによって実施されてもよいし、両者の組み合わせによって実施されてもよい。
【０１０５】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１０６】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ内に設けられていてもよい。また、かかる記憶媒体及びプロセッサは、ディスクリートコンポーネントとして移動局ＵＥや無線基地局ｅＮＢ内に設けられていてもよい。
【０１０７】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【０１０８】
ＵＥ…移動局
ｅＮＢ…無線基地局
１１、２１…受信部
１２…判定部
１３、２４…送信部
２２…制御部
２３…測定部
【図１】
0005860729.tif 000002
【図２】
0005860729.tif 000003
【図３】
0005860729.tif 000004
【図４】
0005860729.tif 000005
【図５】
0005860729.tif 000006
【図６】
0005860729.tif 000007
【図７】
0005860729.tif 000008
【図８】
0005860729.tif 000009
【図９】
0005860729.tif 000010